(57)【特許請求の範囲】
【請求項１】
呼処理に関連するデータを記憶する連携サーバと、ユーザ端末間の呼に関する要求を、前記連携サーバと連携して処理する呼処理制御サーバとを備える呼処理制御システムであって、
呼処理制御サーバは、
単位時間内に処理可能な呼の処理量に関する閾値を含む閾値データを記憶する記憶装置と、
前記閾値データを参照して、単位時間内の前記呼の処理量が前記閾値を越えると、呼に関する要求を規制する規制判定手段と、
前記規制判定手段によって規制されない場合、連携サーバから取得したデータを参照して、呼に関する要求を処理する要求処理手段と、
当該呼処理制御サーバが連携サーバから取得したデータ量に応じて、前記閾値を設定する閾値設定手段を備える
ことを特徴とする呼処理制御システム。
【請求項２】
前記記憶装置はさらに、
起動時に用いる閾値を含む起動時閾値データと、
起動して所定時間後に用いる閾値を含む平常時閾値データを記憶し、
前記閾値設定手段は、起動時に、前記起動時閾値データを前記閾値データに設定するとともに、起動して所定時間が経過すると、前記平常時閾値データを前記閾値データに設定する
ことを特徴とする請求項１に記載の呼処理制御システム。
【請求項３】
前記閾値データの前記閾値は、呼接続要求の数および位置登録要求の数の合計に対応し、
前記規制判定手段は、呼接続要求の数および位置登録要求の数の合計が、前記閾値を越えるか否かを判定する
ことを特徴とする請求項１または２に記載の呼処理制御システム。
【請求項４】
呼処理に関連するデータを記憶する連携サーバと連携して、ユーザ端末間の呼に関する要求を、処理する呼処理制御方法であって、
呼処理制御サーバは、単位時間内に処理可能な呼の処理量に関する閾値を含む閾値データを参照して、単位時間内の前記呼の処理量が前記閾値を越えると、呼に関する要求を規制するステップと、
前記規制するステップにおいて規制されない場合、前記呼処理制御サーバは、連携サーバから取得したデータを参照して、呼に関する要求を処理するステップと、
前記呼処理制御サーバは、当該呼処理制御サーバが連携サーバから取得したデータ量に応じて、閾値を設定するステップ
を備えることを特徴とする呼処理制御方法。
【請求項５】
前記閾値を設定するステップは、起動時に、起動時に用いる閾値を含む起動時閾値データを前記閾値データに設定するとともに、起動して所定時間が経過すると、起動して所定時間後に用いる閾値を含む平常時閾値データを前記閾値データに設定する
ことを特徴とする請求項４に記載の呼処理制御方法。
【請求項６】
前記閾値データの前記閾値は、呼接続要求の数および位置登録要求の数の合計に対応し、
前記規制するステップは、呼接続要求の数および位置登録要求の数の合計が、前記閾値を越えるか否かを判定する
ことを特徴とする請求項４または５に記載の呼処理制御方法。
【発明の詳細な説明】
【技術分野】
【０００１】
本発明は、呼処理に関連するデータを記憶する連携サーバと、ユーザ端末間の呼に関する要求を、連携サーバと連携して処理する呼処理制御サーバとを備える呼処理制御システムおよび呼処理制御方法に関する。
【背景技術】
【０００２】
近年、ユーザ端末間の通話において、加入者データの原本を格納するサーバと連携して、呼処理制御サーバがユーザ端末間の呼を制御する連携方式が提供されている。この連携方式において、加入者データの原本は、複数の呼処理制御サーバが参照可能な連携サーバに格納され、個々の呼処理制御サーバが、必要に応じて連携サーバから加入者データを取得して記憶する。
【０００３】
呼処理制御サーバは、ユーザ端末から呼接続要求や位置登録要求を受信した際、連携サーバから加入者データを取得したり、連携サーバにユーザ端末の位置情報を登録したりする。呼処理制御サーバは、連携サーバから受信した加入者データを、呼の処理が完了した後も保持することにより、後に発生する呼の処理において参照することも可能である。
【０００４】
また一般的に、呼が一定の閾値を越えて輻輳状態になると、発呼および着呼を規制することが知られている（例えば、非特許文献１および非特許文献２参照。）。
【先行技術文献】
【非特許文献】
【０００５】
【非特許文献１】"輻輳の意味とその性質〜「電話がからない」そのとき何が起こっているのか〜"、［online］、［平成２６年２月１０日検索］、インターネット〈URL：http://www.interq.or.jp/blue/rhf333/OVER_L.htm〉
【非特許文献２】西日本電信電話株式会社、"音声利用ＩＰ通信網サービス  （第１種サービス）のインタフェース  -ひかり電話ビジネスタイプ-  第３．５版"、［online］、２０１３年１２月２日、［平成２６年２月１０日検索］、インターネット〈URL：https://flets-w.com/solution/hikari_service/business/support/pdf/gisanshi3.5.pdf〉
【発明の概要】
【発明が解決しようとする課題】
【０００６】
しかしながら、上記の連携方式において呼処理制御サーバは、起動時に加入者データを何ら保持しないため、起動時と、その後の平常時とでは、処理能力が異なる問題がある。具体的には、システム起動時は、ユーザ端末からの呼接続要求をする際、連携サーバから加入者データを取得する必要があるため、加入者データを予め保持している時と比べて、処理能力が低くなってしまう。
【０００７】
このような呼処理制御サーバにおいて、平常時の処理能力に基づいて規制の閾値を設定すると、起動時には、許容以上の処理を受けてしまう場合がある。またシステム起動時の処理能力に基づいて閾値を設定すると、平常時には、許容以下の処理しか受け付けられない場合がある。
【０００８】
従って本発明の目的は、呼処理制御サーバの起動時の負荷を考慮して呼処理に関連するデータを記憶する連携サーバと連携して、ユーザ端末間の呼に関する要求を処理する呼処理制御システムおよび呼処理制御方法を提供することである。
【課題を解決するための手段】
【０００９】
上記課題を解決するために、本発明の第１の特徴は、呼処理に関連するデータを記憶する連携サーバと、ユーザ端末間の呼に関する要求を、連携サーバと連携して処理する呼処理制御サーバとを備える呼処理制御システムに関する。本発明の第１の特徴において呼処理制御サーバは、単位時間内に処理可能な呼の処理量に関する閾値を含む閾値データを記憶する記憶装置と、閾値データを参照して、単位時間内の呼の処理量が閾値を越えると、呼に関する要求を規制する規制判定手段と、規制判定手段によって規制されない場合、連携サーバから取得したデータを参照して、呼に関する要求を処理する要求処理手段と、当該呼処理制御サーバが連携サーバから取得したデータ量に応じて、閾値を設定する閾値設定手段を備える。
【００１０】
記憶装置はさらに、起動時に用いる閾値を含む起動時閾値データと、起動して所定時間後に用いる閾値を含む平常時閾値データを記憶し、閾値設定手段は、起動時に、起動時閾値データを閾値データに設定するとともに、起動して所定時間が経過すると、平常時閾値データを閾値データに設定しても良い。
【００１１】
閾値データの閾値は、呼接続要求の数および位置登録要求の数の合計に対応し、規制判定手段は、呼接続要求の数および位置登録要求の数の合計が、閾値を越えるか否かを判定しても良い。
【００１２】
本発明の第２の特徴は、呼処理に関連するデータを記憶する連携サーバと連携して、ユーザ端末間の呼に関する要求を、処理する呼処理制御方法に関する。本発明の第２の特徴に係る呼処理制御方法は、呼処理制御サーバは、単位時間内に処理可能な呼の処理量に関する閾値を含む閾値データを参照して、単位時間内の呼の処理量が閾値を越えると、呼に関する要求を規制するステップと、規制するステップにおいて規制されない場合、呼処理制御サーバは、連携サーバから取得したデータを参照して、呼に関する要求を処理するステップと、呼処理制御サーバは、当該呼処理制御サーバが連携サーバから取得したデータ量に応じて、閾値を設定するステップを備える。
【００１３】
閾値を設定するステップは、起動時に、起動時に用いる閾値を含む起動時閾値データを閾値データに設定するとともに、起動して所定時間が経過すると、起動して所定時間後に用いる閾値を含む平常時閾値データを閾値データに設定しても良い。
【００１４】
閾値データの閾値は、呼接続要求の数および位置登録要求の数の合計に対応し、規制するステップは、呼接続要求の数および位置登録要求の数の合計が、閾値を越えるか否かを判定しても良い。
【発明の効果】
【００１５】
本発明によれば、呼処理制御サーバの起動時の負荷を考慮して呼処理に関連するデータを記憶する連携サーバと連携して、ユーザ端末間の呼に関する要求を処理する呼処理制御システムおよび呼処理制御方法を提供することができる。
【図面の簡単な説明】
【００１６】
【図１】本発明の実施の形態に係る呼処理制御システムのシステム構成と、連携サーバおよび呼処理制御サーバの構成を説明する図である。
【図２】本発明の実施の形態に係る呼処理制御システムの処理を説明するシーケンス図である。
【図３】本発明の実施の形態に係る連携サーバの加入者情報制御を説明する図である。
【図４】本発明の実施の形態に係る連携サーバのサーバ情報制御を説明する図である。
【図５】本発明の実施の形態に係る閾値設定処理の一例を説明するフローチャートである。
【図６】本発明の実施の形態に係る規制判定処理の一例を説明するフローチャートである。
【発明を実施するための形態】
【００１７】
次に、図面を参照して、本発明の実施の形態を説明する。以下の図面の記載において、同一または類似の部分には同一または類似の符号を付している。
【００１８】
（実施の形態）
図１を参照して、本発明の実施の形態に係る呼処理制御システム５を説明する。呼処理制御システム５は、呼処理制御方法を実現し、呼処理制御サーバ１、連携サーバ２およびユーザ端末３を備える。呼処理制御サーバ１およびユーザ端末３は、通信ネットワーク４を介して、相互に通信可能に接続される。また図１に示す例は、１つの呼処理制御サーバ１を備える場合を説明するが、呼処理制御サーバ１の数は問わない。呼処理制御システム５は、ＳＩＰ（Session Initiation Protocol）などのプロトコルを用いて、ユーザ端末３間の呼接続を制御する。
【００１９】
図２を参照して、本発明の実施の形態に係る呼処理制御システム５の処理の概要を説明する。
【００２０】
図２（ａ）は、ユーザ端末３からＲＥＧＩＳＴＥＲ信号を受信した処理を示す。まずステップＳ１１においてユーザ端末３は、ユーザ端末３の位置に関するＲＥＧＩＳＴＥＲ信号（位置登録要求）を呼処理制御サーバ１に送信する。呼処理制御サーバ１は、ＲＥＧＩＳＴＥＲ信号を受信すると、ステップＳ１２において、連携サーバ２に、ユーザ端末３の位置の登録要求信号を送信し、連携サーバ２に登録させる。
【００２１】
その後ステップＳ１３において呼処理制御サーバ１は、ステップＳ１３において呼処理制御サーバ１内に、このＲＥＧＩＳＴＥＲ信号の送信元のユーザ端末３に関する加入者データを保持しているか判定する。保持している場合、ステップＳ１７において、ステップＳ１１で受信したＲＥＧＩＳＴＥＲ信号に対する応答信号を、ユーザ端末３に送信する。
【００２２】
一方ＲＥＧＩＳＴＥＲ信号の送信元のユーザ端末に関する加入者データを保持していない場合、ステップＳ１４において呼処理制御サーバ１は、加入者データを要求するための、連携サーバ２にＳＡＲ信号（加入者データ要求信号）を送信する。呼処理制御サーバ１は、ステップＳ１５において連携サーバ２からＳＡＡ信号（加入者データ応答信号）を受信し、ステップＳ１６において加入者データを記憶する。呼処理制御サーバ１は、ステップＳ１７において、ステップＳ１１で受信したＲＥＧＩＳＴＥＲ信号に対する応答信号を、ユーザ端末３に送信する。
【００２３】
図２（ｂ）は、ユーザ端末３からＩＮＶＩＴＥ信号を受信した処理を示す。ステップＳ２１においてユーザ端末３は、ユーザの操作などにより接続先のユーザ端末を指定し、ＩＮＶＩＴＥ信号（呼接続要求）を呼処理制御サーバ１に送信する。呼処理制御サーバ１は、ＩＮＶＩＴＥ信号を受信すると、ステップＳ２２において呼処理制御サーバ１内に、このＩＮＶＩＴＥ信号の処理に必要な加入者データを保持しているか判定する。保持している場合、予め保持した加入者データを用いてステップＳ２６において、接続先のユーザ端末に向けてＩＮＶＩＴＥ信号を送信し、ユーザ端末３間の呼接続を制御する。
【００２４】
一方このＩＮＶＩＴＥ信号の処理に必要な加入者データを保持していない場合、ステップＳ２３において呼処理制御サーバ１は、加入者データを要求するための、連携サーバ２にＳＡＲ信号（加入者データ要求信号）を送信する。呼処理制御サーバ１は、ステップＳ２４において連携サーバ２からＳＡＡ信号（加入者データ応答信号）を受信し、ステップＳ２５において加入者データを記憶する。呼処理制御サーバ１は、ステップＳ２６において、接続先のユーザ端末３に向けて、ＩＮＶＩＴＥ信号を送信し、ユーザ端末３間の呼接続を制御する。
【００２５】
（連携サーバ）
連携サーバ２は、呼処理に関連するデータを記憶し、加入者データの原本を管理するとともに、呼処理制御サーバ１の状態を取得し管理する。連携サーバ２は、記憶装置２１０、処理装置２２０および通信制御装置（図示せず）を備えるコンピュータであって、所定の機能を実現するためのプログラムを実行することにより、図１に示す各手段を実装する。なお、図１に示す例では連携サーバ２は、一つのコンピュータにより実装される場合を説明するが、各機能が複数の連携サーバに実装されても良いし、仮想コンピュータなどにより実装されても良い。
【００２６】
記憶装置２１０は、連携サーバ２の機能を実現するためのプログラムを記憶するとともに、加入者データ２１１およびサーバ管理データ２１２を記憶する。処理装置２２０は、加入者情報制御手段２２１およびサーバ情報制御手段２２２を備える。
【００２７】
加入者情報制御手段２２１は、呼処理制御サーバ１と連携して加入者データ２１１を参照または更新する。加入者データ２１１は、呼処理制御サーバ１がユーザ端末３に呼処理サービスを提供する上で必要な情報を保持する。図３に示すように加入者情報制御手段２２１は、呼処理制御サーバ１に、加入者情報や付加サービス情報などの設定、変更、削除依頼などを送信し、呼処理制御サーバ１が保持する加入者データ１１４との整合性をとるよう制御する。また加入者情報制御手段２２１は、呼処理制御サーバ１から加入者情報のデータ要求が送信されると、依頼された加入者情報を返す。このほか、加入者情報制御手段２２１は、加入者データに関する種々のデータを制御する。
【００２８】
サーバ情報制御手段２２２は、呼処理制御サーバ１と連携してサーバ管理データ２１２を参照または更新する。サーバ管理データ２１２は、呼処理制御サーバ１または連携サーバ２を制御するための情報を保持する。図４に示すようにサーバ情報制御手段２２２は、呼処理制御サーバ１に、装置状態の情報を収集する依頼などを送信する。サーバ情報制御手段２２２は、呼処理制御サーバ１からその情報を取得してサーバ管理データ２１２に記憶して、取得した情報に応じて処理する。例えばサーバ情報制御手段２２２は、呼処理制御サーバ１から輻輳に関するアラーム通知などを受信し、受信したアラーム通知に応じて処理する。
【００２９】
（呼処理制御サーバ）
呼処理制御サーバ１は、ユーザ端末３間の呼に関する要求を、連携サーバ２と連携して処理する。本発明の実施の形態に係る呼処理制御サーバ１は、呼処理制御サーバ１が起動時であるか否かに応じて、異なる閾値を参照して、要求を規制する。
【００３０】
呼処理制御サーバ１は、記憶装置１１０、処理装置１２０および通信制御装置１３０を備えるコンピュータであって、所定の機能を実現するためのプログラムを実行することにより、図１に示す各手段を実装する。
【００３１】
通信制御装置１３０は、連携サーバ２と相互に通信可能に接続するとともに、通信ネットワーク４を介してユーザ端末３と相互に通信可能に接続する。
【００３２】
記憶装置１１０は、呼処理制御サーバ１の機能を実現するためのプログラムを記憶するとともに、起動時閾値データ１１１、平常時閾値データ１１２、閾値データ１１３および加入者データ１１４を記憶する。
【００３３】
閾値データ１１３は、要求を規制するか否かを判定するために参照され、単位時間内に処理可能な呼の処理量に関する閾値を含む。この閾値は、呼接続要求の数および位置登録要求の数の合計に対応し、呼接続要求および位置登録要求の各要求の重みを考慮して設定されても良い。
【００３４】
起動時閾値データ１１１は、呼処理制御サーバ１の起動時に用いる閾値を含む。ここで呼処理制御サーバ１の「起動時」は、例えば、新たに呼処理制御サーバ１を投入したときや、故障や停電から復旧したときであって、呼処理制御サーバ１内に、加入者データを保持していない、あるいは、保持している加入者データが少ない場合である。換言すると、「起動時」は、連携サーバ２への加入者データの問い合わせが頻発する状態である。
【００３５】
平常時閾値データ１１２は、呼処理制御サーバ１が起動して所定時間後に用いる閾値を含む。ここで呼処理制御サーバ１の「平常時」は、例えば、新たに呼処理制御サーバ１を投入した後の所定時間以降や、故障や停電から復旧した後の所定時間以降であって、呼処理制御サーバ１内に既に有る程度の加入者データを保持している場合である。換言すると、「平常時」は、連携サーバ２への加入者データの問い合わせが少ない状態である。
【００３６】
本発明の実施の形態において呼処理制御システム５は、呼処理制御サーバ１の起動後一定時間は、連携サーバ２へデータを要求する頻度が高く、平常時に比べて、呼接続要求および位置登録要求を処理可能な数が抑制されることに着目する。従って、起動時閾値データ１１１の閾値は、平常時閾値データ１１２の閾値よりも低く設定される。例えば、起動時閾値データ１１１の閾値として、単位時間内に呼接続要求および位置登録要求の各要求を処理可能な合計数「１０」が設定される一方、平常時閾値データ１１２の閾値として、各要求を処理可能な合計数「２０」が設定される。
【００３７】
加入者データ１１４は、連携サーバ２から取得した加入者データを記憶する。加入者データ１１４は、この呼処理制御サーバ１が起動した際、具体的には、新たに呼処理制御サーバ１を投入した際や、故障や停電から復旧した際は、何らデータを保持しない。呼処理制御サーバ１が起動後、呼処理に応じて連携サーバ２から加入者データを取得する度に、加入者データ１１４に蓄積される。
【００３８】
処理装置１２０は、閾値設定手段１２１、規制判定手段１２２および要求処理手段１２３を備える。
【００３９】
閾値設定手段１２１は、呼処理制御サーバ１が連携サーバ２から取得したデータ量に応じて、閾値を設定する。閾値設定手段１２１は、連携サーバ２から取得した加入者データの容量が多いと、閾値を高く設定し、連携サーバ２から取得した加入者データの容量が少ないと、閾値を低く設定するように制御する。
【００４０】
具体的には閾値設定手段１２１は、起動時に、起動時閾値データ１１１を閾値データ１１３に設定するとともに、起動して所定時間が経過すると、平常時閾値データ１１２を閾値データ１１３に設定する。閾値設定手段１２１は、呼処理制御サーバ１が起動時であるか否かを、呼処理制御サーバ１が実装されるコンピュータのオペレーションシステムやミドルウェアからの起動に関する通知の検出を契機に、判別する。また閾値設定手段１２１は、呼処理制御サーバ１が平常時であるか否かを、呼処理制御サーバ１の起動後一定時間を経過したか否かで、判別する。他の例として、呼処理制御サーバ１が保有している加入者データの量、呼処理制御サーバ１の状態、連携サーバ２へのデータ取得回数、またこれらの遷移などに応じて、呼処理制御サーバが起動時であるか平常時であるかが判定されても良い。
【００４１】
規制判定手段１２２は、閾値データ１１３を参照して、単位時間内の呼の処理量が閾値を越えると、呼に関する要求を規制する。規制判定手段１２２は、呼接続要求の数および位置登録要求の数の合計が、閾値を越えるか否かを判定する。閾値データ１１３の閾値は、呼処理制御サーバ１の状況に応じて、閾値設定手段１２１により、起動時閾値データ１１１または平常時閾値データ１１２のいずれかが設定される。
【００４２】
規制判定手段１２２は、直近の単位時間内のユーザ端末３からの呼接続要求の数および位置登録要求の数をカウントする。規制判定手段１２２は、カウントされた要求数に応じて、単位時間内の処理量を算出する。規制判定手段１２２は、このように算出した処理量が、閾値データ１１３の閾値を越えているか否かを判定する。越えていない場合、要求処理手段１２３に要求を処理させる。一方、越えている場合、規制判定手段１２２は、ユーザ端末３からの呼接続要求、および位置登録要求を規制し、要求処理手段１２３に処理させない。
【００４３】
要求処理手段１２３は、規制判定手段１２２によって規制されない場合、連携サーバ２から取得した加入者データ１１４を参照して、呼に関する要求を処理する。図２に示すように、要求処理手段１２３は、位置登録要求を受信すると、位置情報を連携サーバ２に登録させる。また要求処理手段１２３は、呼接続要求を受信すると、記憶装置１１０に必要な加入者データを記憶しているか否かを判定し、記憶していない場合、連携サーバ２から加入者データを取得し、接続先のユーザ端末３に呼接続要求を送信する。
【００４４】
図５を参照して、本発明の実施の形態に係る閾値設定手段１２１による閾値設定処理の一例を説明する。
【００４５】
ステップＳ１０１において閾値設定手段１２１は、ＯＳやミドルウェアからの通知により、呼処理制御サーバ１が起動時であるか否かを判定する。起動時である場合、ステップＳ１０２において閾値設定手段１２１は、起動時閾値データ１１１を閾値データ１１３に設定する。一方平常時であると判定した場合、ステップＳ１０３において閾値設定手段１２１は、平常時閾値データ１１２を閾値データ１１３に設定する。
【００４６】
図６を参照して、本発明の実施の形態に係る規制判定手段１２２による規制判定処理の一例を説明する。
【００４７】
規制判定処理は、呼処理接続要求または位置登録要求が発生したことを契機に開始される。ステップＳ２０１において呼処理接続要求または位置登録要求が発生したと判定されると、規制判定手段１２２は、直近の単位時間内の要求数を算出する。
【００４８】
ステップＳ２０２において規制判定手段１２２は、単位時間内の要求量が、閾値データ１１３の閾値以上であるか否かを判定する。閾値でない場合、ステップＳ２０３において規制判定手段１２２は、要求処理手段１２３が要求を処理しないように規制する。一方、閾値以上であると判定された場合、ステップＳ２０４において、要求処理手段１２３に、発生した要求を処理させる。
【００４９】
このように本発明の実施の形態に係る呼処理制御システム５において、呼処理制御サーバ１は、呼処理制御サーバ１が起動時であるか否かに基づいて、呼処理制御サーバ１が処理する要求の閾値を設定する。これにより、呼処理制御サーバ１の起動時に保有する加入者データが少なく、連携サーバ２へのデータ要求が頻発する間、呼処理制御サーバ１は、呼処理接続要求や位置登録要求の処理数を抑制することができる。また起動後に、保有する加入者データが多くなり、連携サーバ２へのデータ要求が減少すると、呼処理制御サーバ１は、呼処理接続要求や位置登録要求の処理数を増やすことができる。
【００５０】
（その他の実施の形態）
上記のように、本発明の実施の形態によって記載したが、この開示の一部をなす論述および図面はこの発明を限定するものであると理解すべきではない。この開示から当業者には様々な代替実施の形態、実施例および運用技術が明らかとなる。
【００５１】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００５２】
１  呼処理制御サーバ
２  連携サーバ
３  ユーザ端末
４  通信ネットワーク
５  呼処理制御システム
１１０、２１０  記憶装置
１１１  起動時閾値データ
１１２  平常時閾値データ
１１３  閾値データ
１１４、２１１  加入者データ
１２０、２２０  処理装置
１２１  閾値設定手段
１２２  規制判定手段
１２３  要求処理手段
１３０  通信制御装置
２１２  サーバ管理データ
２２１  加入者情報制御手段
２２２  サーバ情報制御手段
【図１】
0006040181.tif 000002
【図２】
0006040181.tif 000003
【図３】
0006040181.tif 000004
【図４】
0006040181.tif 000005
【図５】
0006040181.tif 000006
【図６】
0006040181.tif 000007